(57)【要約】【課題】  従来、防災用のトイレ用品の備蓄と、応急の簡易トイレの組立て完結品が、別梱包で離れ勝ちであった、段ボール製の簡易トイレは耐湿性がなく叉便器の形状が長方形で大きい便袋となり底が平らなため凝固剤の効きがよくなかった。本発明はこれらの課題を解決してコンパクトな防災用簡易トイレを提供する。【解決手段】便器とトイレ用品一梱包でとまとめ、段ボール耐湿強化は防水カバーで被覆し、便器を円筒にして強度を高め、溝を設けた円形の便座と底板の組み合わせで組立てを容易にし、集尿性は円筒内にすり鉢状の棚をもうけて解決し、レジ袋でも用が足せるようコンパクトにした、ことを特徴とする防災用簡易トイレ、【選択図】図７
2013252406.tif 000002
【特許請求の範囲】
【請求項１】
開口部を上に向けた底付の箱を設け、該箱の、前面に取手、後面に外周に張り出した外箱止まりを設けた内箱を設け、該、内箱の前面から外箱止まりに至る長さで、周囲の上部は内箱に内接し下部は部品スペースを囲む開口の底無しの角筒状の外箱を設け、該、内箱の底部の背面と外箱の内側と奥の外箱受とで部品の収納室を形成し、排泄用品収納室と簡易トイレの部品収納室が形成され、前期二機能室を具備した手提げ箱となり、便器の組立の場合は外箱が簡易トイレの主筒になることを特徴する、簡易トイレに収納ケース。
【請求項２】
防水袋の内部で底の中央に、請求項１の円筒を縦に設け、該、防水袋で円筒の外側を被覆して円筒内部に納め、該、円筒内部にすり鉢状の集尿ガイドを設け、上部に円筒の嵌め溝を設けた環状の便座を設け、該、円筒の下部には円筒の嵌め溝を設けた底板を設け、該、便座と底板とを両端にかけ鉤を設けた弾性結合帯で一体化させ、その上に回転蓋を設けたことを特徴とする、防災用簡易トイレ。
【発明の詳細な説明】
【技術分野】
【０００１】    本発明は、平時に於いて備蓄する、排泄用品の収納ケースが有事の際、避難生活で使用する簡易トイレとなることに関するものである。
【背景技術】
【０００２】  従来、簡易トイレは箱形で段ボール製のものがあった（特許文献１参照）
（特許文献２参照）
（特許文献３参照）
【先行技術文献】
【特許文献】
【０００３】
【特許文献１】  特開２００６−２９６９２５号公報
【特許文献２】  実願２００６−３２２８号広報
【特許文献３】  特願２００６−２８８５５７号広報
【発明の概要】
【発明が解決しようとする課題】
【０００４】（イ）段ボール製の組立て構成では隔壁の強度を高めるための特別な構造や工夫が必要であった。
（ロ）耐湿性が懸念されていた。
（ハ）便座の穴が楕円であることから便器の箱が長方形となり、開口部の大きな便袋が必要になり、過大な便袋になっていた。
（ニ）前項の結果便袋の底平を招き、集尿性がなく凝固剤との結合が進まない、と言う欠陥があった。
（ホ）トイレ用品の備蓄と簡易トイレの備蓄に同梱性がなく、叉梱包の中にトイレ用品を入れるスペースの備えがなくトイレ不足の手当てと同時にトイレットペーパーや凝固剤等の供給が必要であった。
（ヘ）梱包材を簡易トイレに生かす工夫が不足していた。
（ト）便袋が便座の下置きの方式では便座の汚れが防止できない仕組みであった。
（チ）便座はヒンジで固定されていて、これ等の殆んどが、トイレにしか使用できない単一機能商品が多く避難所で求められる、その他の機能についての考慮が成されなかった。
（リ）避難生活の中でトイレと並んで、老人の座れない人々への対策や、エコノミー症候群対策などが残されていた。
本発明は、以上のような問題点を解決するためになされたものである。
【課題を解決するための手段】
【０００５】（イ）隔壁の強度上げるために、便器の本体を円筒に変え、その円筒は梱包の外箱を活用することにし、構造単純化を計った。
（ロ）耐湿性を高めるため、円筒の外周に合わせた防水袋で円筒を包むことにした。
（ハ）排便袋の平底の弊害を除くため円筒の内部に、すり鉢状の集尿ガイドを設けた。
（ニ）有事の時為、トイレ用品の備蓄と簡易トイレの供給が同時に進むよう、同梱性を高めた。
（ホ）円形の便座にして、市販のレジ袋でも使用できる構造にし、便座の汚れを防止するため、排便袋を便座の上に置けるようにした。
（ヘ）円形の便座の上に円形の回転蓋を設けて、回転椅子や小物入れの機能を加えた。
以上の構成を特徴とする防災用の携帯簡易トイレ。
【発明の効果】
【０００６】  組立て作業が簡単で、耐水性を備えた、腰掛強度が強く、集尿性が優れて排泄用品がパックされている、極めて便利で安全で、清潔な簡易トイレが提供できる。
【図面の簡単な説明】
【０００７】
【図１】本発明の請求項１の斜視図
【図２】本発明の請求項１の内箱斜視図
【図３】本発明の請求項１の外箱斜視図
【図４】本発明の請求項１の円筒斜視図
【図５】本発明の請求項２の斜視図
【図６】本発明の請求項２の一部を切り欠いた断面図
【図７】本発明の請求項２の分解断面図
【本発明を実施するための形態】
【０００８】  以下、本発明の実施の形態を説明する。
（イ）開口部（１）を上に向け、底（２）付の箱をもける。
箱の内法便座の外形（３００×３００ミリ）深さトイレットペーパーの幅（１１０ミリ）
（ロ）該、箱の前面に手提げの取手（３）、後の面に外箱押さえ（４）を設ける。
外箱受けの寸法、略（３２０×１４０ミリ）
合わせ方、内箱の上面から天端まで１２ミリ、内箱の両サイド略１２ミリ
（ハ）外箱（６）の開口部内法、幅（内箱の入る寸法）、高さ（内箱の高さプラス２０ミリ）、奥行き（内箱の外寸奥行き）。
（ニ）外箱（６）には円筒曲げ加工促進のため、段ボールの筋目に沿って切り目（１２）を設ける、切り目の長さ１０ミリ、折り目間隔６０ミリ、切り目間隔６０ミリ、各近傍、箱板は継ぎ目（１１）で重ね継ぎ。
（ホ）外箱は非常トイレ用の便器本体の円筒に使用するために、該、切り目（１２）を用いて円筒曲げ加工を行い円筒（１０）を作る、要領は溝（２０）（２３）に習って筒の端部を嵌めるようにして、行えば容易に出来る。
（ヘ）内箱（２）には、排泄用品として、便袋、凝固剤、トイレットペーパー、などの消耗品、と便座、防水袋、集尿ガイド、弾性結合帯、回転蓋、等の簡易便器の構成部品を同梱にする。
（ト）底板は内箱と外箱と間に差し込んで梱包の内部引き締めに使用すると良い。
次に、本発明の請求項２の実施の形態を説明する。
（チ）該、外箱（６）を用い、円筒（１０）とする。
（リ）防水袋（１５）内の底部の中央に円筒（１０）を置く。
（ヌ）円筒（１０）の外壁を該、防水袋（１５）で覆いながら該、円筒の上部（３１）を越えてから中に収める。
（ル）円筒（６）内部の中央にすり鉢状の集尿ガイド（１９）の底部を下に向けて納め、該、集尿ガイドの袋の端（３２）が７センチ程度円筒（１０）の外にはみ出すようにする。
（ヲ）円盤の中側に穴（３３）を設け、外周に下向きの嵌め溝（２０）設けた樹脂製の便座（２１）を設ける。
（ワ）該、便座の嵌め溝（２１）を円筒の上部（３１）に嵌め合わせ、該、集尿ガイド（１９）を押さえる。
（カ）円盤の外周に上向きの嵌め合い溝（２３）を設けた底板（２４）を設ける。
（ヨ）該、底板の嵌め溝（１４）を、該、円筒の下部（２２）に嵌めあわせる。
（タ）該、便座（２１）と底板（２４）とを、両端に掛け鉤（２５）を設けた弾性結合帯（２６）３本で締め合わせ一体化させる。
（レ）組み立てた便座の上に、回転蓋（３０）を載せて簡易トイレが完成する。
本発明は以上のような構造である。
本発明を使用するときは、回転蓋を（３０）外し、便座（２１）の上に排泄袋を広げ、し尿の凝固剤を一回分入れてから用を足し毎回便袋を外して結束して各自が汚物保管バケツに回収する、そして便座（２１）の上面はいつも清潔であることが、望ましい。
【符号の説明】
【０００９】    １    開口部              １５  防水袋          ２９  転がり球
２    底                  １６  中心            ３０  回転蓋
３    取手                １７  外部被覆        ３１  円筒上部
４    外箱受け            １８  円筒内部        ３２  集尿ガイドの端
５    内箱                １９  集尿ガイド      ３３  穴
６    外箱                ２０  上部溝
７    排泄用品収納室      ２１  便座
８    部品収納室          ２２  円筒下部
９    手提げ箱            ２３  下部溝
１０  円筒                ２４  底板
１１  継ぎ目              ２５  掛鉤
１２  切り目              ２６  弾性結合帯
１３  折り目              ２７  二枚盤
１４  円筒上部            ２８  中心軸
【図１】
2013252406.tif 000003
【図２】
2013252406.tif 000004
【図３】
2013252406.tif 000005
【図４】
2013252406.tif 000006
【図５】
2013252406.tif 000007
【図６】
2013252406.tif 000008
【図７】
2013252406.tif 000009